(57)【要約】【課題】立体視映像表示装置を操作するユーザの立体視用眼鏡の装着／未装着に応じて、立体視映像表示と平面視映像表示とを切り換えることが可能な立体視映像表示装置、立体視用眼鏡及び立体視映像表示システムを提供する。【解決手段】立体視用眼鏡とリモートコントローラとに設けた人体通信手段の通信状態に基づいて、立体視用眼鏡を装着したユーザがリモートコントローラを操作しているか否かを判定し、このユーザが立体視用眼鏡を装着し、且つ、リモートコントローラを操作していると判定した場合に、三次元の立体視映像を立体視映像表示装置に表示させる。【選択図】図１
2012015773.tif 000002
【特許請求の範囲】
【請求項１】
二次元の平面視映像を出力する平面視映像出力手段と、
左眼用映像と右眼用映像とを出力する立体視映像表示手段と、
立体視用眼鏡の左眼部分に前記左眼用映像を提示させるとともに、当該立体視用眼鏡の右眼部分に前記右眼用映像を提示させる眼鏡用制御手段と、
リモートコントローラから送信される操作情報に応じて、自己の装置の動作を制御する動作制御手段と、
前記立体視用眼鏡を装着したユーザが、前記リモートコントローラを操作しているか否かを判定する判定手段と、
前記判定手段の判定結果に応じて、前記平面視映像表示手段及び前記立体視映像表示手段からの映像出力を切り換えて出力し、映像表示画面に表示させる切換手段と、
を備え、
前記切換手段は、前記判定手段が前記立体視用眼鏡を装着したユーザが前記リモートコントローラを操作していると判定した場合に、前記立体視映像表示手段からの映像出力に切り換えることを特徴とする立体視映像表示装置。
【請求項２】
前記判定手段は、前記立体視用眼鏡と前記リモートコントローラとに設けられた人体通信手段の通信状態に基づいて、前記立体視用眼鏡を装着したユーザが、前記リモートコントローラを操作しているか否かを判定することを特徴とする請求項１に記載の立体視映像表示装置。
【請求項３】
前記判定手段は、前記立体視用眼鏡又は前記リモートコントローラに設けられ、
前記切換手段は、前記立体視用眼鏡又は前記リモートコントローラの前記判定手段から通知される指示情報に応じて、前記平面視映像表示手段及び立体視映像表示手段からの映像出力を切り換えることを特徴とする請求項２に記載の立体視映像表示装置。
【請求項４】
前記平面視映像表示手段及び前記立体視映像表示手段は、前記映像表示画面に表示するＯＳＤ信号を出力することを特徴とする請求項１〜３の何れか一項に記載の立体視映像表示装置。
【請求項５】
立体視映像表示装置とともに用いられる立体視用眼鏡であって、
自己の装置を装着するユーザとの接触位置に設けられた人体通信用電極と、
前記人体通信用電極に接触したユーザの体を通じて、前記立体視映像表示装置を遠隔操作するリモートコントローラとの間で人体通信を行う人体通信手段と、
前記人体通信手段の通信状態に基づいて、自己の装置を装着したユーザが、前記リモートコントローラを操作しているか否かを判定する判定手段と、
前記判定手段の判定結果に応じて、二次元の平面視映像の出力又は三次元の立体視映像の出力を前記立体視映像表示装置に指示する表示形態指示手段と、
を備えたことを特徴とする立体視用眼鏡。
【請求項６】
前記人体通信用電極が、テンプル部又はパット部に設けられていることを特徴とする請求項５に記載の立体視用眼鏡。
【請求項７】
立体視映像表示装置と、立体視用眼鏡と、前記立体視映像表示装置の遠隔操作を行うリモートコントローラと、を備えた立体視映像表示システムであって、
前記立体視映像表示装置は、
二次元の平面視映像を出力する平面視映像出力手段と、
左眼用映像と右眼用映像とを出力する立体視映像表示手段と、
前記立体視用眼鏡の左眼部分に前記左眼用映像を提示させるとともに、当該立体視用眼鏡の右眼部分に前記右眼用映像を提示させる眼鏡用制御手段と、
前記リモートコントローラから送信される操作情報に応じて、自己の装置の動作を制御する動作制御手段と、
前記立体視用眼鏡又は前記リモートコントローラから通知される表示形態指示情報に応じて、前記平面視映像表示手段及び立体視映像表示手段からの映像出力を切り換える切換手段と、
を備え、
前記立体視用眼鏡及び前記リモートコントローラの各々が、
自己の装置のユーザとの接触位置に設けられた人体通信用電極と、
前記人体通信用電極に接触したユーザの体を通じて人体通信を行う人体通信手段と、
を備え、
前記立体視用眼鏡又は前記リモートコントローラの何れかが、
前記人体通信手段の通信状態に基づいて、前記立体視用眼鏡を装着したユーザが前記リモートコントローラを操作しているか否かを判定する判定手段と、
前記判定手段の判定結果に応じて、前記平面視映像の出力又は前記立体視映像の出力を指示した前記表示形態指示情報を前記立体視映像表示装置に送信する送信手段と、
を備えたことを特徴とする立体視映像表示システム。
【発明の詳細な説明】
【技術分野】
【０００１】
本発明の実施形態は、立体視映像表示装置、立体視用眼鏡及び立体視映像表示システムに関する。
【背景技術】
【０００２】
従来、両眼の間隔に対応した視差を有する２種類の映像を用いることで、立体感のある映像をユーザに提供可能なテレビジョン放送受信装置等の立体視映像表示装置が存在している。係る立体視映像表示装置では、例えば、右眼用映像と左眼用映像とを交互に表示させ、この表示タイミングに基づいて、立体視用眼鏡に設けられた左眼のシャッタ及び右眼のシャッタの開閉を制御することで、この立体視用眼鏡を装着したユーザに立体視映像を認識させている。また、従来、立体視用眼鏡に取り付けたスイッチのオン／オフにより、ユーザが立体視用眼鏡を装着したか否かを判定し、立体視（三次元）映像表示と平面視（二次元）映像表示とを切り換える技術が知られている。
【先行技術文献】
【特許文献】
【０００３】
【特許文献１】特開２０００−４４５３号公報
【発明の概要】
【発明が解決しようとする課題】
【０００４】
しかしながら、上記の従来技術では、立体視用眼鏡を装着したユーザと、立体視映像表示装置を操作するユーザとの同一性を確認することできないため、立体視映像表示と平面視映像表示との切り換えを的確にできない可能性があった。例えば、立体視用眼鏡を装着したユーザと立体視用眼鏡を未装着のユーザとが同時に立体視映像表示装置を視聴し、この立体視用眼鏡を未装着のユーザが立体視映像表示装置のリモートコントローラを操作した場合に、ＵＩ（User  Interface）等のＯＳＤ（On  Screen  Display）が立体視映像として表示されてしまうため、該ＯＳＤの視認性が低下する可能性があった。
【０００５】
本発明は、上記に鑑みてなされたものであって、その目的は、立体視映像表示装置を操作するユーザの立体視用眼鏡の装着／未装着に応じて、立体視映像表示と平面視映像表示とを切り換えることが可能な立体視映像表示装置、立体視用眼鏡及び立体視映像表示システムを提供することである。
【課題を解決するための手段】
【０００６】
実施の形態の映像信号補間装置は、平面視映像表示手段と、立体視映像表示手段と、眼鏡用制御手段と、動作制御手段と、判定手段と、切換手段とを備えている。平面視映像表示手段は、二次元の平面視映像を出力する。立体視映像表示手段は、左眼用映像と右眼用映像とを出力する。眼鏡用制御手段は、立体視用眼鏡の左眼部分に左眼用映像を提示させるとともに、立体視用眼鏡の右眼部分に右眼用映像を提示させる。動作制御手段は、リモートコントローラから送信される操作情報に応じて、自己の装置の動作を制御する。判定手段は、立体視用眼鏡を装着したユーザが、リモートコントローラを操作しているか否かを判定する。切換手段は、判定手段の判定結果に応じて、平面視映像表示手段及び立体視映像表示手段からの映像出力を切り換えて出力し、映像表示画面に表示させる。さらに、切換手段は、判定手段が前記立体視用眼鏡を装着したユーザが前記リモートコントローラを操作していると判定した場合に、立体視映像表示手段からの映像出力に切り換える。
【図面の簡単な説明】
【０００７】
【図１】図１は、第１の実施形態に係るデジタルテレビジョン放送受信装置の信号処理系を示す図である。
【図２】図２は、図１に示した合成処理部の構成を示す図である。
【図３】図３は、図１に示した立体視用眼鏡の外観構成を模式的に示す図である。
【図４】図４は、図１に示した立体視用眼鏡の構成を示す図である。
【図５】図５は、図１に示したリモートコントローラの外観構成を模式的に示す図である。
【図６】図６は、図１に示したリモートコントローラの構成を示す図である。
【図７】図７は、第１の実施形態に係るデジタルテレビジョン放送受信装置の動作を説明するためのフローチャートである。
【図８】図８は、第２の実施形態に係る立体視用眼鏡の構成を示す図である。
【図９】図９は、第２の実施形態に係るリモートコントローラの構成を示す図である。
【図１０】図１０は、第２の実施形態に係るデジタルテレビジョン放送受信装置の動作を説明するためのフローチャートである。
【発明を実施するための形態】
【０００８】
［第１の実施形態］
図１は、第１の実施形態に係るデジタルテレビジョン放送受信装置１０の信号処理系を示す図である。なお、デジタルテレビジョン放送受信装置１０は、通常の平面視（二次元）表示用の映像信号に基づく映像表示、及び、立体視（三次元）表示用の映像信号に基づく映像表示を行うことが可能な映像表示装置である。
【０００９】
アンテナ１１で受信したデジタルテレビジョン放送信号は、入力端子１０ａを介してチューナ部１２に供給されることにより、所望のチャンネルの放送信号が選局される。そして、このチューナ部１２で選局された放送信号は、復調復号部１３に供給されてデジタルの映像信号及び音声信号等に復元された後、信号処理部１４に出力される。
【００１０】
信号処理部１４は、復調復号部１３から供給されたデジタルの映像信号及び音声信号に対して、それぞれ所定のデジタル信号処理を施している。この信号処理部１４が行う所定のデジタル信号処理には、通常の平面視（二次元）表示用の映像信号を立体視（三次元）表示用の映像信号に変換する処理や、立体視表示用の映像信号を平面視表示用の映像信号に変換する処理等も含まれている。そして、信号処理部１４は、デジタルの映像信号を合成処理部１５に出力し、デジタルの音声信号を音声処理部１６に出力している。
【００１１】
このうち、合成処理部１５は、信号処理部１４から供給されるデジタルの映像信号に、ＯＳＤ（On  Screen  Display）信号生成部１７で生成されるＯＳＤ信号を重畳して出力している。この場合、合成処理部１５は、信号処理部１４から供給される映像信号が通常の平面視表示用の映像信号であれば、その映像信号にＯＳＤ信号生成部１７から供給されたＯＳＤ信号をそのまま重畳して出力している。
【００１２】
また、この合成処理部１５は、信号処理部１４から供給される映像信号が立体視表示用の映像信号である場合、詳細は後述するが、ＯＳＤ信号生成部１７から供給されたＯＳＤ信号に対して、入力された立体視表示用の映像信号に対応した立体視表示用の信号処理を施した後、そのＯＳＤ信号を入力映像信号に重畳して出力している。
【００１３】
そして、合成処理部１５から出力されたデジタルの映像信号は、映像処理部１８に供給される。映像処理部１８は、入力されたデジタルの映像信号を、後段の、例えば液晶表示パネル等を有する平面型の映像表示部１９で表示可能なフォーマットのアナログ映像信号に変換している。そして、この映像処理部１８から出力されたアナログ映像信号が、映像表示部１９に供給されて映像表示に供される。
【００１４】
シャッタ制御信号送信部２０は、合成処理部１５に接続され、後述する眼鏡制御部１５９から出力された左眼用及び右眼用のシャッタ制御信号を立体視用眼鏡３０に送信する。なお、シャッタ制御信号送信部２０の通信方式は、特に問わず、例えば、Ｂｌｕｅｔｏｏｔｈ（登録商標）や赤外線通信方式、ＤＬＰ−ＬＩＮＫ方式等を用いることができる。
【００１５】
ここで、図２は、合成処理部１５の構成を示す図である。信号処理部１４から出力されるデジタルの映像信号は、入力端子１５ａを介して映像変換部１５１に供給される。映像変換部１５１は、入力された映像信号が立体視（三次元）表示用の映像信号である場合、その映像信号を特定の映像フォーマットに変換して、画質制御部１５２及び視差量抽出部１５３に出力している。
【００１６】
立体視表示用の映像信号には、１フレーム同期期間内で左眼用映像フレーム後に右眼用映像フレームを送出するフレームパッキング方式や、１水平期間内で左眼用映像ライン後に右眼用映像ラインを送出するサイドバイサイド方式等、様々な映像フォーマットが存在する。さらに、各映像フォーマットの中でも、映像のサイズや走査方式（インタレース／プログレッシブ）等が種々存在する。
【００１７】
このため、本実施形態では、映像変換部１５１が、入力された立体視表示用の映像信号に対して、スケーリング処理やＩＰ（Interlace／Progressive）変換処理等の処理を施すことにより、所定の映像サイズ（例えば、水平方向１９２０画素×垂直方向１０８０ライン）のフレームパッキング方式の映像フォーマットに変換し、垂直同期信号に同期させて画質制御部１５２及び視差量抽出部１５３に出力するものとする。
【００１８】
このうち、画質制御部１５２は、入力された映像信号に対して、制御部２２の制御に基づいた明るさ調整、コントラスト調整及び色相調整等の画質調整処理を施し、垂直同期信号に同期させて合成部１５４に出力している。
【００１９】
また、上記視差量抽出部１５３は、映像変換部１５１により、フレームパッキング方式の映像フォーマットに変換された立体視表示用の映像信号に対して、その左眼用映像フレームと右眼用映像フレームとの間の映像の比較を行ない、視差量を抽出している。
【００２０】
この視差量抽出部１５３による視差量の抽出処理は、左眼用映像フレームに表示されている物体の位置を基準として、右眼用映像フレームに表示されている同じ物体の左右方向の位置ずれを、画素数で示すことによって行なわれる。この視差量抽出処理は、連続するフレームで表示される同じ物体の動き位置を検出するための動きベクトルの技術を利用することで容易に実現することができる。具体的には、画面上で水平方向に配列された画素に、左側から右側に向けて番号を振り、左眼用映像フレームに表示されている或る物体の所定位置の画素の番号から、右眼用映像フレームに表示されているその物体の同じ所定位置の画素の番号を減算することにより、視差量を画素数で示すことができる。
【００２１】
この場合、視差量が負値のときは、左眼用映像より右眼用映像が右側に存在することになり、その物体は画面よりも奥側で結像される映像となる。また、視差量が正値のときは、左眼用映像より右眼用映像が左側に存在することになり、その物体は画面よりも手前で結像される映像となる。
【００２２】
また、視差量抽出部１５３は、入力端子１５ｂを介して入力される制御部２２からの制御信号に応じて、上述した視差量の値をゼロ値に切り換える。ここで、視差量がゼロ値の状態は、左眼用映像及び右眼用映像はともに同位置となり、画面上に結像される映像、即ち平面視（二次元）映像となる。
【００２３】
そして、視差量抽出部１５３によって抽出された視差量は、ＯＳＤ位置算出部１５５に供給される。このＯＳＤ位置算出部１５５は、入力された視差量に基づいて、ＯＳＤを立体視表示させる際の表示位置を補正する計算を行ない、その計算結果を示す視差制御信号を出力している。
【００２４】
具体的に、ＯＳＤ位置算出部１５５は、視差量抽出部１５３で抽出された視差量が時間軸方向の変動がない状態、または、視差量が時間軸方向に緩やかに変動している映像表示状態のときに、ＯＳＤを立体視表示させる際の表示位置を補正する計算を実行する。すなわち、視差量が時間軸方向に激しく変動している場合は、映像が奥行き方向に激しく動いている状態であり、この状態ではユーザは映像に意識が向いているため、重畳するＯＳＤも奥行き方向に激しく動くと見苦しくなるからである。このため、ＯＳＤ位置算出部１５５は、視差量が激しく変動している状態では、視差量の変動がすくないときに算出した結果を示す視差制御信号を出力している。なお、視差量がゼロ値の状態では、表示位置の補正は行わないものとする。
【００２５】
そして、このＯＳＤ位置算出部１５５から出力される視差制御信号は、ＯＳＤ立体変換部１５６に供給される。このＯＳＤ立体変換部１５６には、上記ＯＳＤ信号生成部１７から出力されるＯＳＤ信号が、入力端子１５ｃを介して供給されている。このＯＳＤ立体変換部１５６は、視差制御信号に基づいて、入力されたＯＳＤ信号から、左眼用映像フレームに重畳する左眼用ＯＳＤ信号と、右眼用映像フレームに重畳する右眼用ＯＳＤ信号とを生成し、ＯＳＤバッファ１５７に出力し記憶させている。
【００２６】
そして、合成部１５４で合成された映像信号は、フレーム変換部１５８に供給され、垂直同期周波数が２倍に変換されて、つまり、フレーム周波数が倍速化された後、出力端子１５ｄから上記映像処理部１８を介して映像表示部１９に出力される。これにより、映像表示部１９では、左眼用映像フレームと右眼用映像フレームとが交互に表示される。
【００２７】
また、上記フレーム変換部１５８で生成されるフレーム同期信号は、眼鏡制御部１５９に供給される。眼鏡制御部１５９は、フレーム変換部１５８から供給されたフレーム同期信号に基づいて左眼用及び右眼用のシャッタ制御信号を生成し、出力端子１５ｅからシャッタ制御信号送信部２０を介して立体視用眼鏡３０に出力する。これにより、立体視用眼鏡３０では、フレーム同期信号と同期して後述する左眼用シャッタ３０ａ及び右眼用シャッタ３０ｂの開閉が交互に行われる。
【００２８】
すなわち、この眼鏡制御部１５９は、左眼用映像が表示されているとき立体視用眼鏡３０の右眼のシャッタ（後述する右眼用シャッタ３０ｂ）を閉じ、右眼用映像が表示されているとき立体視用眼鏡３０の左眼のシャッタ（後述する左眼用シャッタ３０ａ）を閉じるように制御しており、これにより、ユーザに立体視映像を認識させるようにしている。
【００２９】
ここで、立体視用眼鏡３０は、立体視映像の観察を行うユーザが装着する液晶シャッタ方式の眼鏡である。以下、図３及び図４を参照して、立体視用眼鏡３０について説明する。
【００３０】
図３は、立体視用眼鏡３０の外観構成を模式的に示す図である。同図に示すように、立体視用眼鏡３０を装着したユーザの左眼部分を覆う位置には左眼用シャッタ３０ａが設けられている。また、立体視用眼鏡３０を装着したユーザの右眼部分を覆う位置には右眼用シャッタ３０ｂが設けられている。
【００３１】
さらに、ユーザが立体視用眼鏡３０を装着した際に、このユーザの体（顔部）と接触する立体視用眼鏡３０の位置には、人体通信用の電極３０ｃが設けられている。なお、図３では、立体視用眼鏡３０のテンプル部（つる）３０ｄに電極３０ｃを設けた例を示しているが、これに限らず、立体視用眼鏡３０のパッド部（鼻当て）３０ｅ等に電極３０ｃを設ける形態としてもよい。
【００３２】
図４は、立体視用眼鏡３０の構成を示す図である。同図に示すように、立体視用眼鏡３０は、シャッタ制御信号受信部３１、シャッタ駆動部３２、人体通信部３３及び制御部３４を備えている。
【００３３】
シャッタ制御信号受信部３１は、上述したシャッタ制御信号送信部２０から送信された左眼用及び右眼用のシャッタ制御信号を受信する。シャッタ駆動部３２は、シャッタ制御信号受信部３１を介して入力されたシャッタ制御信号に応じて、左眼用シャッタ３０ａ及び右眼用シャッタ３０ｂを交互に開閉することで、映像（光）の透過状態と不透過状態を実現する。
【００３４】
つまり、シャッタ駆動部３２は、映像表示部１９の表示画像に合わせて左眼用シャッタ３０ａ及びも右眼用シャッタ３０ｂの状態を切り替えることで、左眼には左眼用映像のみを提示し、右眼には右眼用映像のみを提示する。ここで、左眼用映像と右眼用映像とが両眼視差を考慮した立体視映像であれば、立体視用眼鏡３０を装着するユーザは、映像表示部１９の画像に対して立体感を得ることができる。
【００３５】
人体通信部３３は、人体通信を行うための機能部であって、図３に示した電極３０ｃに接触された人体を人体通信用の伝送路として利用し、該伝送路を通じて接続された他の人体通信部（人体通信部４３）との間で通信を行う。具体的に、人体通信部３３は、電極３０ｃに接触したユーザの体を通じ、このユーザが接触（把持）したリモートコントローラ４０の後述する人体通信部４３との間で人体通信を行う。なお、人体通信の伝送方式は特に問わず、電流方式であってもよいし電圧方式であってもよい。
【００３６】
制御部３４は、ＣＰＵ等のマイクロプロセッサ、該マイクロプロセッサが実行可能なプログラムを記憶したメモリ等で構成され、立体視用眼鏡３０の各部の動作を統括的に制御する。具体的に、制御部３４は、人体通信部３３の電極３０ｃに対する導電状態を監視することで、立体視用眼鏡３０をユーザが装着したか否かを判定する。また、制御部３４は、立体視用眼鏡３０の装着を確認した後、人体通信部３３を介して生存確認用のコマンド等を送信することで、リモートコントローラ４０との間で通信を確立する。
【００３７】
なお、リモートコントローラ４０との間で通信が確立した後、リモートコントローラ４０に所定の情報を送信する形態としてもよい。例えば、自己の立体視用眼鏡３０を識別可能な製品番号等の識別情報や、シャッタ駆動部３２の駆動状況を示した状態情報等をリモートコントローラ４０に送信する形態としてもよい。
【００３８】
図１に戻り、音声処理部１６は、信号処理部１４から入力されたデジタルの音声信号を、後段のスピーカ２１で再生可能なフォーマットのアナログ音声信号に変換する。そして、この音声処理部１６から出力されたアナログ音声信号が、スピーカ２１に供給されることにより音声再生に供される。
【００３９】
ここで、デジタルテレビジョン放送受信装置１０では、上記した各種の受信動作を含むその全ての動作が制御部２２によって統括的に制御されている。この制御部２２は、ＣＰＵ（Central  Processing  Unit）２２ａを内蔵しており、デジタルテレビジョン放送受信装置１０の本体に設置された操作部２３からの操作情報を受けて、または、リモートコントローラ４０から送出され受信部２４で受信した操作情報を受けて、その操作内容が反映されるように各部をそれぞれ制御している。
【００４０】
この場合、制御部２２は、メモリ部２２ｂを利用している。このメモリ部２２ｂは、主として、ＣＰＵ２２ａが実行する制御プログラムを格納したＲＯＭ（Read  Only  Memory）と、該ＣＰＵ２２ａに作業エリアを提供するためのＲＡＭ（Random  Access  Memory）と、各種の設定情報及び制御情報等が格納される不揮発性メモリとを有している。
【００４１】
また、制御部２２には、ディスクドライブ部２５が接続されている。このディスクドライブ部２５は、例えばＤＶＤ（Digital  Versatile  Disk）等の光ディスクＭを着脱自在とするもので、装着された光ディスクＭに対してデジタルデータの記録再生を行なう機能を有している。
【００４２】
そして、制御部２２は、ユーザによる操作部２３やリモートコントローラ４０の操作に基づいて、上記復調復号部１３から得られるデジタルの映像信号及び音声信号を、記録再生処理部２６によって暗号化し所定の記録フォーマットに変換した後、ディスクドライブ部２５に供給して光ディスクＭに記録させるように制御することができる。
【００４３】
また、制御部２２は、ユーザによる操作部２３やリモートコントローラ４０の操作に基づいて、ディスクドライブ部２５により光ディスクＭからデジタルの映像信号及び音声信号を読み出させ、上記記録再生処理部２６によって復号化した後、信号処理部１４に供給することによって、以後、上記した映像表示及び音声再生に供させるように制御することができる。
【００４４】
さらに、制御部２２には、ＨＤＤ（Hard  Disk  Drive）２７が接続されている。制御部２２は、ユーザによる操作部２３やリモートコントローラ４０の操作に基づいて、上記復調復号部１３から得られるデジタルの映像信号及び音声信号を、記録再生処理部２６によって暗号化し所定の記録フォーマットに変換した後、ＨＤＤ２７に記録させるように制御することができる。
【００４５】
また、制御部２２は、ユーザによる操作部２３やリモートコントローラ４０の操作に基づいて、ＨＤＤ２７からデジタルの映像信号及び音声信号を読み出させ、上記記録再生処理部２６によって復号化した後、信号処理部１４に供給することによって、以後、上記した映像表示及び音声再生に供させるように制御することができる。
【００４６】
さらに、上記デジタルテレビジョン放送受信装置１０には、入力端子１０ｂが接続されている。この入力端子１０ｂは、デジタルテレビジョン放送受信装置１０の外部からデジタルの映像信号及び音声信号を直接入力するためのものである。この入力端子１０ｂを介して入力されたデジタルの映像信号及び音声信号は、制御部２２の制御に基づいて、記録再生処理部２６を介した後、信号処理部１４に供給されて、以後、上記した映像表示及び音声再生に供される。
【００４７】
また、この入力端子１０ｂを介して入力されたデジタルの映像信号及び音声信号は、制御部２２の制御に基づいて、記録再生処理部２６を介した後、ディスクドライブ部２５による光ディスクＭに対しての記録再生や、ＨＤＤ２７に対しての記録再生に供される。
【００４８】
なお、制御部２２は、ユーザによる操作部２３やリモートコントローラ４０の操作に基づいて、ディスクドライブ部２５とＨＤＤ２７との間で、光ディスクＭに記録されているデジタルの映像信号及び音声信号をＨＤＤ２７に記録したり、ＨＤＤ２７に記録されているデジタルの映像信号及び音声信号を光ディスクＭに記録したりすることも制御している。
【００４９】
また、制御部２２には、ネットワークインタフェース２８が接続されている。このネットワークインタフェース２８は、外部のネットワークＮに接続されている。そして、ネットワークインタフェース２８はネットワークＮを介し、図示しない外部装置との間で通信を行う。このため、制御部２２は、ネットワークインタフェース２８を介し、ネットワークＮに接続された外部装置にアクセスして情報通信を行なうことにより、そこで提供しているサービスを利用することができるようになっている。
【００５０】
次に、図５及び図６を参照して、リモートコントローラ４０の構成について説明する。図５は、リモートコントローラ４０の外観構成を模式的に示す図である。
【００５１】
図５に示すように、リモートコントローラ４０には、主として、電源キー４０ａ、数字キー４０ｂ、チャンネルアップダウンキー４０ｃ、音量調整キー４０ｄ、カーソル上キー４０ｅ、カーソル下キー４０ｆ、カーソル左キー４０ｇ、カーソル右キー４０ｈ、決定キー４０ｉ、メニューキー４０ｊ、戻るキー４０ｋ、終了キー４０ｌ、４色（青，赤，緑，黄）のカラーキー４０ｍ等が設けられている。
【００５２】
また、リモートコントローラ４０には、再生停止キー４０ｎ、再生／一時停止キー４０ｏ、逆方向スキップキー４０ｐ、順方向スキップキー４０ｑ、早戻しキー４０ｒ、早送りキー４０ｓ等が設けられている。すなわち、上記ディスクドライブ部２５やＨＤＤ２７から取得した映像や音声等の情報に対しては、リモートコントローラ４０の再生停止キー４０ｎや再生／一時停止キー４０ｏを操作することにより、再生、停止、一時停止を行なうことが可能となる。
【００５３】
また、リモートコントローラ４０の逆方向スキップキー４０ｐや順方向スキップキー４０ｑを操作することにより、ディスクドライブ部２５やＨＤＤ２７で再生している映像や音声等の情報を、その再生方向に対して逆方向や順方向に一定量ずつスキップさせる、いわゆる、逆方向スキップや順方向スキップを行なうことができる。
【００５４】
さらに、リモートコントローラ４０の早戻しキー４０ｒや早送りキー４０ｓ等を操作することにより、ディスクドライブ部２５やＨＤＤ２７で再生している映像や音声等の情報を、その再生方向に対して逆方向や順方向に連続的に高速で再生させる、いわゆる、早戻し再生や早送り再生を行なうことができる。
【００５５】
また、ユーザがリモートコントローラ４０を操作する際に、該ユーザの体（手部）と接触するリモートコントローラ４０の位置には、人体通信用の電極４０ｔが設けられている。なお、図５では、リモートコントローラ４０の側面部に電極４０ｔを設けた例を示したが、これに限らず、リモートコントローラ４０の背面部等に電極４０ｔを設ける形態としてもよい。
【００５６】
図６は、リモートコントローラ４０の構成を示す図である。同図に示すように、リモートコントローラ４０は、操作受付部４１、送信部４２、人体通信部４３及び制御部４４を備えている。
【００５７】
操作受付部４１は、上述した各キーのキー操作を受け付ける機能部である。送信部４２は、制御部４４の制御に従い、所定の信号（操作信号、立体視指示情報、平面視指示情報等）を送信する。ここで、送信部４２の通信方式は受信部２４の通信方式と同様であり、例えば、赤外線通信方式や、Ｂｌｕｅｔｏｏｔｈ（登録商標）等の無線通信方式を用いることができる。
【００５８】
人体通信部４３は、人体通信を行うための機能部であって、図５に示した電極４０ｔに接触された人体を伝送路として利用し、該伝送路を通じて接続された他の人体通信部（人体通信部３３）との間で通信を行う。具体的に、人体通信部４３は、電極４０ｔに接触したユーザの体を通じ、このユーザが接触（装着）した立体視用眼鏡３０の人体通信部３３との間で人体通信を行う。
【００５９】
制御部４４は、ＣＰＵ等のマイクロプロセッサ、該マイクロプロセッサが実行可能なプログラムを記憶したメモリ等で構成され、リモートコントローラ４０の各部の動作を統括的に制御する。具体的に、制御部４４は、操作受付部４１で受け付けたキー操作に応じ、この操作されたキーに予め割り当てられたコマンドを含む操作情報を送信部４２から送信する。また、制御部４４は、人体通信部４３を介して生存確認用のコマンド等を送信することで、立体視用眼鏡３０の人体通信部３３との通信確立を試みる。
【００６０】
また、制御部４４は、立体視用眼鏡３０の人体通信部３３との通信を確立した状態で、キー操作の入力を受け付けると、立体視用眼鏡３０を装着したユーザがリモートコントローラ４０を操作していると判定する。この場合、制御部４４は、そのキー操作に応じた操作情報とともに、立体視（三次元）表示用の映像信号でＯＳＤを表示することを指示した指示情報（以下、立体視指示情報という）を、送信部４２から送信する。
【００６１】
また、制御部４４は、立体視用眼鏡３０の人体通信部３３との通信が確立できない状態で、キー操作の入力を受け付けると、立体視用眼鏡３０を未装着のユーザがリモートコントローラ４０を操作していないと判定する。この場合、制御部４４は、そのキー操作に応じた操作情報とともに、平面視（二次元）表示用の映像信号でＯＳＤを表示することを指示した指示情報（以下、平面視指示情報という）を、送信部４２から送信する。なお、立体視指示情報と平面視指示情報とを総称して、表示形態指示情報ともいう。
【００６２】
デジタルテレビジョン放送受信装置１０の制御部２２は、上述したように受信部２４を介して受け付けた操作情報に基づき、該操作情報に含まれたコマンド内容を反映するように各部を制御する。また、操作情報とともに入力される表示形態指示情報の内容に応じて、ＯＳＤ信号の出力形式を平面視映像用／立体視映像用に切り換える。
【００６３】
ここで、操作情報とともに立体視指示情報を受け付けた場合、制御部２２は、合成処理部１５の視差量抽出部１５３を通常動作させることで、立体視映像のＯＳＤを表示可能な状態に切り換える。
【００６４】
この場合、リモートコントローラ４０を操作するユーザは、立体視用眼鏡３０を装着しているため、立体視映像のＯＳＤを表示することで、該ＯＳＤを立体的に提示することができる。そのため、立体視指示情報を受け付けた場合、即ち、立体視用眼鏡３０を装着したユーザがリモートコントローラ４０を操作している場合には、画面上に表示されたＯＳＤを立体視映像として表示させることで、ＯＳＤの視認性を向上させることができる。
【００６５】
一方、操作情報とともに平面視指示情報を受け付けた場合、制御部２２は、合成処理部１５の視差量抽出部１５３を制御し、視差量抽出部１５３が抽出する視差量をゼロ値とすることで、平面視映像のＯＳＤを表示可能な状態に切り換える。
【００６６】
この場合、リモートコントローラ４０を操作するユーザは、立体視用眼鏡３０を装着していないため、立体視映像のＯＳＤを表示してしまうと、ユーザは左右の映像が重畳した状態で観察することとなり、ＯＳＤの視認性が低下する可能性がある。そのため、平面視指示情報を受け付けた場合、即ち、立体視用眼鏡３０を未装着のユーザがリモートコントローラ４０を操作している場合には、画面上に表示されたＯＳＤを平面視映像として表示させることで、ＯＳＤの視認性を向上させることができる。
【００６７】
以下、図７を参照し、本実施形態のデジタルテレビジョン放送受信装置１０の動作について説明する。ここで、図７は、リモートコントローラ４０の操作時におけるデジタルテレビジョン放送受信装置１０の動作を説明するためのフローチャートである。
【００６８】
まず、デジタルテレビジョン放送受信装置１０を視聴するユーザが、立体視用眼鏡３０を装着して視聴を行う場合、立体視用眼鏡３０の図示しない電源ボタンをオンとする。立体視用眼鏡３０では、電源のオンに伴い該立体視用眼鏡３０の各部が起動すると（ステップＳ１１）、制御部３４は、電極３０ｃに対する人体通信部３３の導電状態に基づいて、ユーザが立体視用眼鏡３０を装着したかを判定し、立体視用眼鏡３０の装着が確認されるまで待機する（ステップＳ１２；Ｎｏ）。
【００６９】
立体視用眼鏡３０の装着を確認すると（ステップＳ１２；Ｙｅｓ）、制御部３４は、人体通信部３３を介し、生存確認用のコマンド等を伝送路（人体）に送信することで、リモートコントローラ４０の人体通信部４３との間で通信可能な状態を維持する（ステップＳ１３）。
【００７０】
ここで、例えば、立体視用眼鏡３０を装着したユーザが、リモートコントローラ４０を把持すると、立体視用眼鏡３０の人体通信部３３とリモートコントローラ４０の人体通信部４３との間で通信が確立することになる（ステップＳ１４及びステップＳ２１）。
【００７１】
また、リモートコントローラ４０では、立体視用眼鏡３０を装着したユーザ又は立体視用眼鏡３０を未装着のユーザがキー操作を行うと、操作受付部４１はこの操作されたキーを制御部４４に通知する（ステップＳ２２）。制御部４４は、操作されたキーの通知を受け付けると、人体通信部４３の状態を確認し、人体通信部４３と立体視用眼鏡３０の人体通信部３３との間で、通信が確立しているか否かを判定する（ステップＳ２３）。
【００７２】
ここで、人体通信部３３との通信が確立されていることを確認した場合（ステップＳ２３；Ｙｅｓ）、制御部４４は、立体視用眼鏡３０を装着したユーザがリモートコントローラ４０を操作していると判定する。そして、制御部４４は、キー操作に応じたコマンドを含む操作情報を、立体視指示情報とともに送信部４２から送信する（ステップＳ２４）。
【００７３】
また、人体通信部３３との通信が確立されていないと判定した場合（ステップＳ２３；Ｎｏ）、制御部４４は、立体視用眼鏡３０を未装着のユーザがリモートコントローラ４０を操作していると判定する。そして、制御部４４は、キー操作に応じたコマンドを含む操作情報を、平面視指示情報とともに送信部４２から送信する（ステップＳ２５）。
【００７４】
一方、デジタルテレビジョン放送受信装置１０の制御部２２では、受信部２４を介して操作情報及び表示形態指示情報（立体視指示情報又は平面視指示情報）を受け付けると（ステップＳ３１）、この操作情報のコマンドに応じた処理を実行する（ステップＳ３２）。続いて、制御部２２は、受け付けた表示形態指示情報が立体視指示情報、平面視指示情報の何れであるかを判定する（ステップＳ３３）。
【００７５】
ここで、表示形態指示情報が平面視指示情報と判定した場合（ステップＳ３３；Ｎｏ）、制御部２２は、視差量抽出部１５３が抽出する視差量をゼロとすることで、平面視映像のＯＳＤを表示可能な状態に設定し（ステップＳ３４）、本処理を終了する。また、表示形態指示情報が立体視指示情報と判定した場合（ステップＳ３３；Ｙｅｓ）、制御部２２は、合成処理部１５の視差量抽出部１５３を通常動作させることで、立体視映像のＯＳＤを表示可能な状態に設定し（ステップＳ３５）、本処理を終了する。
【００７６】
以上のように、本実施形態によれば、立体視用眼鏡３０とリモートコントローラ４０との間の人体通信の通信状態に基づいて、リモートコントローラ４０の制御部４４が、立体視用眼鏡３０を装着したユーザが自己の装置を操作しているか否かを判定する。そして、リモートコントローラ４０を操作するユーザの立体視用眼鏡３０を脱着状態に応じて、ＯＳＤ信号（映像信号）の表示形式を平面視用と立体視用とに切り換えて表示する。これにより、ＯＳＤをユーザの適した表示形式で提示することができるため、該ＯＳＤに対する視認性を向上させることが可能となる。
【００７７】
また、表示形態指示情報（立体視指示情報、平面視指示情報）を、操作情報とともにリモートコントローラ４０から送信することで、一般のリモートコントローラが有する既存の構成を利用することができる。
【００７８】
なお、本実施形態では、リモートコントローラ４０を操作するユーザの立体視用眼鏡３０の着脱状態に応じて、ＯＳＤの表示形態を立体視表示用と平面視表示用とに切り換える形態としたが、これに限らず、映像信号自体の表示形態を切り換える形態としてもよい。
【００７９】
具体的には、デジタルテレビジョン放送受信装置１０の制御部２２が、立体視指示情報を受け付けた場合に、信号処理部１４を制御し、平面視表示用の映像信号を立体視表示用の映像信号に変換させることで、映像信号自体を立体視用の映像信号に切り換えることができる。また、平面視指示情報を受け付けた場合に、信号処理部１４を制御し、立体視表示用の映像信号を平面視表示用の映像信号に変換させることで、映像信号自体を平面視表示映像に切り換えることができる。なお、映像信号を平面視表示用の映像信号に切り換えた場合、ＯＳＤ信号は合成処理部１５にて平面視表示用として出力されるため、映像信号及びＯＳＤ信号を平面視表示用とすることが可能である。
【００８０】
また、立体視用眼鏡３０の人体通信部３３と、リモートコントローラ４０の人体通信部４３との通信確立時に、立体視用眼鏡３０の識別情報をリモートコントローラ４０からデジタルテレビジョン放送受信装置１０に送信するよう構成することで、リモートコントローラ４０の操作を行うユーザが装着している立体視用眼鏡３０を特定することができる。この場合、例えば、リモートコントローラ４０を操作するユーザが装着した立体視用眼鏡３０のシャッタ間隔を個別に制御することで、このユーザだけが映像表示部１９上に表示されたＯＳＤを視認することができるよう制限する形態としてもよい。
【００８１】
［第２の実施形態］
次に、第２の実施形態について説明する。上述した第１の実施形態では、リモートコントローラ４０が平面視指示情報／立体視指示情報を送信することで、ＯＳＤの表示形態を制御する構成を説明した。本実施形態では、立体視用眼鏡３０が平面視指示情報／立体視指示情報の送信を行うことで、ＯＳＤの表示形態を制御する構成について説明する。なお、第１の実施形態と同様の要素については、同一の符号を付与し説明を省略する。
【００８２】
本実施形態に係るデジタルテレビジョン放送受信装置１０は、上述した立体視用眼鏡３０及びリモートコントローラ４０にかえて、立体視用眼鏡５０及びリモートコントローラ６０を備えている。なお、本実施形態のデジタルテレビジョン放送受信装置１０では、視差量抽出部１５３が抽出する視差量をゼロ値とすること、即ち、平面視映像のＯＳＤを表示することが、デフォルトの設定として行われているものとする。以下、本実施形態に特徴的な、立体視用眼鏡５０及びリモートコントローラ６０について説明する。
【００８３】
図８は、本実施形態に係る立体視用眼鏡５０の構成を示す図である。同図に示すように、立体視用眼鏡５０は、シャッタ制御信号受信部３１、シャッタ駆動部３２、人体通信部３３、制御部５１及び送信部５２を備えている。
【００８４】
制御部５１は、上述した制御部３４と同様の機能を有し、立体視用眼鏡５０の各部の動作を統括的に制御する。具体的に、制御部５１は、人体通信部３３の電極３０ｃに対する導電状態を監視することで、立体視用眼鏡３０をユーザが装着したか否かを判定する。また、制御部５１は、立体視用眼鏡３０の装着を確認した後、人体通信部３３を介して生存確認用のコマンド等を送信することで、リモートコントローラ６０との通信を試みる。
【００８５】
ここで、制御部５１は、リモートコントローラ６０の人体通信部４３との通信の確立を確認すると、立体視用眼鏡５０を装着したユーザがリモートコントローラ６０を操作していると判定し、立体視指示情報を送信部５２から送信する。また、制御部５１は、リモートコントローラ６０の人体通信部４３との通信確立状態から該通信の切断を検出すると、立体視用眼鏡５０が取り外された又はリモートコントローラ６０の操作が完了したと判定し、平面視指示情報を送信部５２から送信する。
【００８６】
送信部５２は、制御部５１の制御に従い、所定の信号（立体視指示情報、平面視指示情報等）を送信する。ここで、送信部５２の通信方式は受信部２４の通信方式と同様であり、例えば、赤外線通信方式や、Ｂｌｕｅｔｏｏｔｈ（登録商標）等の無線通信方式を用いることができる。
【００８７】
図９は、本実施形態に係るリモートコントローラ６０の構成を示す図である。同図に示すように、リモートコントローラ６０は、操作受付部４１、送信部４２、人体通信部４３及び制御部６１を備えている。
【００８８】
制御部６１は、立体視用眼鏡５０の各部の動作を統括的に制御する。具体的に、制御部６１は、操作受付部４１が受け付けたキー操作に応じて、この操作されたキーに予め割り当てられたコマンドを含んだ操作情報を送信部４２から送信する。つまり、制御部６１は、上述した制御部４４の各機能から、表示形態指示信号を送信する機能を除いたものに相当する。
【００８９】
次に、図１０を参照して、本実施形態のデジタルテレビジョン放送受信装置１０の動作について説明する。ここで、図１０は、リモートコントローラ６０の操作時におけるデジタルテレビジョン放送受信装置１０の動作を説明するためのフローチャートである。
【００９０】
まず、デジタルテレビジョン放送受信装置１０を視聴するユーザが、立体視用眼鏡５０を装着して視聴を行う場合、立体視用眼鏡５０の図示しない電源ボタンをオンとする。立体視用眼鏡５０では、電源のオンに伴い該立体視用眼鏡５０の各部が起動すると（ステップＳ４１）、制御部５１は、電極３０ｃに対する人体通信部３３の導電状態に基づいて、ユーザが立体視用眼鏡５０を装着したかを判定し、立体視用眼鏡５０の装着が確認されるまで待機する（ステップＳ４２；Ｎｏ）。
【００９１】
立体視用眼鏡５０の装着を確認すると（ステップＳ４２；Ｙｅｓ）、制御部５１は、人体通信部３３を介し、生存確認用のコマンド等を伝送路（人体）に送信することで、リモートコントローラ６０の人体通信部４３との間で通信可能な状態を維持する（ステップＳ４３）。
【００９２】
ここで、立体視用眼鏡５０を装着したユーザが、リモートコントローラ６０を把持すると、立体視用眼鏡５０の人体通信部３３とリモートコントローラ６０の人体通信部４３との間で通信が確立する（ステップＳ４４及びステップＳ５１）。制御部５１は、人体通信部４３との通信の確立を検出すると、立体視用眼鏡５０を装着したユーザがリモートコントローラ６０を操作していると判定し、立体視指示情報を送信部５２から送信する（ステップＳ４５）。
【００９３】
一方、デジタルテレビジョン放送受信装置１０の制御部２２は、受信部２４を介して立体視指示情報を受け付けると（ステップＳ６１）、合成処理部１５の視差量抽出部１５３を通常動作させることで、立体視表示用のＯＳＤを表示可能な状態とする（ステップＳ６２）。
【００９４】
また、ステップＳ５１の後、立体視用眼鏡５０を装着したユーザがリモートコントローラ６０のキー操作を行うと、操作受付部４１はこの操作されたキーを制御部６１に通知する（ステップＳ５２）。制御部６１は、操作されたキーの通知を受け付けると、このキー操作に応じたコマンドを含む操作情報を送信部４２から送信する（ステップＳ５３）。
【００９５】
一方、デジタルテレビジョン放送受信装置１０の制御部２２は、受信部２４を介して操作情報を受け付けると（ステップＳ６３）、この操作情報に含まれたコマンドに応じた処理を実行する（ステップＳ６４）。このとき、この処理の実行に伴い映像表示部１９に表示されるＯＳＤは、ステップＳ６２の制御により立体視表示用のＯＳＤとなる。
【００９６】
また、ステップＳ５３の後、立体視用眼鏡５０を装着したユーザがリモートコントローラ６０から手を離すと、人体通信部３３と人体通信部４３との間の通信が切断される（ステップＳ４６及びＳ５４）。これにより、立体視用眼鏡５０の制御部５１は、立体視用眼鏡５０が取り外された又はリモートコントローラ６０の操作が完了したと判定し、平面視指示情報を送信部５２から送信する（ステップＳ４７）。
【００９７】
一方、デジタルテレビジョン放送受信装置１０の制御部２２は、受信部２４を介して平面示情報を受け付けると（ステップＳ６５）、合成処理部１５の視差量抽出部１５３を制御し、この視差量抽出部１５３が抽出する視差量をゼロとすることで平面視表示用のＯＳＤを表示可能な状態（デフォルト状態）とし（ステップＳ６６）、本処理を終了する。
【００９８】
以上のように、本実施形態によれば、立体視用眼鏡５０とリモートコントローラ６０との間の人体通信の通信状態に基づいて、立体視用眼鏡５０の制御部５１が、自己の装置を装着したユーザがリモートコントローラ６０を操作しているか否かを判定する。そして、リモートコントローラ６０を操作するユーザの立体視用眼鏡５０を脱着状態に応じて、ＯＳＤ信号（映像信号）の表示形式を平面視用と立体視用とに切り換えて表示する。これにより、ＯＳＤをユーザの適した表示形式で提示することができるため、該ＯＳＤに対する視認性を向上させることが可能となる。
【００９９】
以上、第１及び第２の実施形態を説明したが、本発明は上記各実施形態そのままに限定されるものではなく、実施段階ではその要旨を逸脱しない範囲で構成要素を変形して具体化することができる。
【０１００】
また、上記各実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせてもよい。
【０１０１】
例えば、上記実施形態では、立体視映像の表示方式として、時分割表示方式の例を説明したが、立体視用眼鏡を用いるものであれば、これに限らず、他の方式（例えば、Ｘｐｏｌ方式）であってもよい。また、上記実施形態では、液晶シャッタ方式の立体視用眼鏡を用いた例を説明したが、これに限らず、立体視映像の表示方式に応じて偏光フィルタ方式の立体視用眼鏡を用いてもよい。
【符号の説明】
【０１０２】
１０  デジタルテレビジョン放送受信装置
１１  アンテナ
１２  チューナ部
１３  復調復号部
１４  信号処理部
１５  合成処理部
１５１  映像変換部
１５２  画質制御部
１５３  視差量抽出部
１５４  合成部
１５５  ＯＳＤ位置算出部
１５６  ＯＳＤ立体変換部
１５７  ＯＳＤバッファ
１５８  フレーム変換部
１５９  眼鏡制御部
１６  音声処理部
１７  ＯＳＤ信号生成部
１８  映像処理部
１９  映像表示部
２０  シャッタ制御信号送信部
２１  スピーカ
２２  制御部
２３  操作部
２４  受信部
２５  ディスクドライブ部
２６  記録再生処理部
２７  ＨＤＤ
２８  ネットワークインタフェース
３０  立体視用眼鏡
３０ａ  左眼用シャッタ
３０ｂ  右眼用シャッタ
３０ｃ  電極
３１  シャッタ制御信号受信部
３２  シャッタ駆動部
３３  人体通信部
３４  制御部
４０  リモートコントローラ
４０ｔ  電極
４１  操作受付部
４２  送信部
４３  人体通信部
４４  制御部
５０  立体視用眼鏡
５１  制御部
５２  送信部
６０  リモートコントローラ
６１  制御部
【図１】
2012015773.tif 000003
【図２】
2012015773.tif 000004
【図３】
2012015773.tif 000005
【図４】
2012015773.tif 000006
【図５】
2012015773.tif 000007
【図６】
2012015773.tif 000008
【図７】
2012015773.tif 000009
【図８】
2012015773.tif 000010
【図９】
2012015773.tif 000011
【図１０】
2012015773.tif 000012
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
二次元の平面視映像を出力する平面視映像出力手段と、
左眼用映像と右眼用映像とを出力する立体視映像表示手段と、
立体視用眼鏡の左眼部分に前記左眼用映像を提示させるとともに、当該立体視用眼鏡の右眼部分に前記右眼用映像を提示させる眼鏡用制御手段と、
リモートコントローラから送信される操作情報に応じて、自己の装置の動作を制御する動作制御手段と、
前記立体視用眼鏡を装着したユーザが、前記リモートコントローラを操作しているか否かを判定する判定手段と、
前記判定手段の判定結果に基づいて、前記平面視映像表示手段からの映像出力と前記立体視映像表示手段からの映像出力とを切り換えて、映像表示画面に表示させる切換手段と、
を備え、
前記切換手段は、前記判定手段による前記立体視用眼鏡を装着したユーザが前記リモートコントローラを操作中との判定に応答して、前記立体視映像表示手段からの映像出力に切り換えることを特徴とする立体視映像表示装置。
【請求項２】
前記判定手段は、前記立体視用眼鏡に関連付けられた第１人体通信手段の第１通信状態と、前記リモートコントローラに関連付けられた第２人体通信手段の第２通信状態と、の一部に基づいて、前記立体視用眼鏡を装着したユーザが、前記リモートコントローラを操作しているか否かを判定することを特徴とする請求項１に記載の立体視映像表示装置。
【請求項３】
前記判定手段は、前記立体視用眼鏡又は前記リモートコントローラの何れかに関連付けられ、
前記切換手段は、更に前記判定手段から通知される指示情報に応じて、前記平面視映像表示手段及び立体視映像表示手段からの映像出力を切り換えることを特徴とする請求項２に記載の立体視映像表示装置。
【請求項４】
前記平面視映像表示手段及び前記立体視映像表示手段は、更にＯＳＤ信号を出力することを特徴とする請求項１〜３の何れか一項に記載の立体視映像表示装置。
【請求項５】
立体視映像表示装置とともに用いられる立体視用眼鏡であって、
自己の装置をユーザが装着した時に、当該ユーザと接触する位置に設けられた人体通信用の電極と、
前記電極に接触したユーザの体を通じて、前記立体視映像表示装置を遠隔操作するリモートコントローラとの間で通信を行う人体通信手段と、
前記人体通信手段の通信状態に基づいて、自己の装置を装着したユーザが、前記リモートコントローラを操作しているか否かを判定する判定手段と、
前記判定手段での判定に基づいて、二次元の平面視映像又は三次元の立体視映像の何れかの出力を前記立体視映像表示装置に指示する表示形態指示手段と、
を備えたことを特徴とする立体視用眼鏡。
【請求項６】
前記電極は、テンプル部又はパット部の何れかに設けられていることを特徴とする請求項５に記載の立体視用眼鏡。
【請求項７】
立体視映像表示装置と、立体視用眼鏡と、前記立体視映像表示装置の遠隔操作を行うリモートコントローラと、を備えた立体視映像表示システムであって、
前記立体視映像表示装置は、
二次元の平面視映像を出力する平面視映像出力手段と、
左眼用映像と右眼用映像とを出力する立体視映像表示手段と、
前記立体視用眼鏡の左眼部分に前記左眼用映像を提示させるとともに、当該立体視用眼鏡の右眼部分に前記右眼用映像を提示させる眼鏡用制御手段と、
前記リモートコントローラから送信される操作情報に応じて、自己の装置の動作を制御する動作制御手段と、
前記立体視用眼鏡又は前記リモートコントローラの何れかより通知される表示形態指示情報に応じて、前記平面視映像表示手段及び立体視映像表示手段からの映像出力を切り換える切換手段と、
を備え、
前記立体視用眼鏡及び前記リモートコントローラの各々が、
自己の装置をユーザが装着した時に、当該ユーザと接触する位置に設けられた人体通信用の電極と、
前記電極に接触したユーザの体を通じて通信を行う人体通信手段と、
を備え、
前記立体視用眼鏡及び前記リモートコントローラの少なくとも一つが、
前記人体通信手段の通信状態に基づいて、前記立体視用眼鏡を装着したユーザが前記リモートコントローラを操作しているか否かを判定する判定手段と、
前記表示形態指示情報を前記立体視映像表示装置に送信する送信手段と、
を備えたことを特徴とする立体視映像表示システム。
【手続補正２】
【補正対象書類名】明細書
【補正対象項目名】０００６
【補正方法】変更
【補正の内容】
【０００６】
実施の形態の立体視映像表示装置は、平面視映像出力手段と、立体視映像表示手段と、眼鏡用制御手段と、動作制御手段と、判定手段と、切換手段とを備えている。平面視映像出力手段は、二次元の平面視映像を出力する。立体視映像表示手段は、左眼用映像と右眼用映像とを出力する。眼鏡用制御手段は、立体視用眼鏡の左眼部分に前記左眼用映像を提示させるとともに、当該立体視用眼鏡の右眼部分に前記右眼用映像を提示させる。動作制御手段は、リモートコントローラから送信される操作情報に応じて、自己の装置の動作を制御する。判定手段は、立体視用眼鏡を装着したユーザが、リモートコントローラを操作しているか否かを判定する。切換手段は、判定手段の判定結果に基づいて、平面視映像表示手段からの映像出力と立体視映像表示手段からの映像出力とを切り換えて、映像表示画面に表示させる。さらに、切換手段は、判定手段による立体視用眼鏡を装着したユーザがリモートコントローラを操作中との判定に応答して、立体視映像表示手段からの映像出力に切り換える。
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
二次元の平面視映像を出力する平面視映像出力手段と、
左目用映像と右目用映像とを出力する立体視映像出力手段と、
立体視用眼鏡の左眼部分に前記左目用映像を提示させるとともに、当該立体視用眼鏡の右眼部分に前記右眼用映像を提示させる眼鏡用制御手段と、
前記立体視用眼鏡を装着したユーザが、前記リモートコントローラを操作しているか否かに応じて、前記平面視映像出力手段からの平面視映像と、前記立体視映像出力手段からの左目用映像及び右目用映像とのうち、何れか一方を映像表示画面に表示させる表示制御手段と、
を備え、
前記表示制御手段は、前記立体視用眼鏡を装着したユーザが、前記リモートコントローラを操作している場合に、前記立体視映像出力手段からの左目用映像及び右目用映像を前記映像表示画面に表示させることを特徴とする立体視映像表示装置。
【請求項２】
前記立体視用眼鏡に関連付けられた第１人体通信手段の第１通信状態と、前記リモートコントローラに関連付けられた第２人体通信手段の第２通信状態とに基づいて、前記立体視用眼鏡を装着したユーザが、前記リモートコントローラを操作しているか否かを判定する判定手段を更に備え、
前記表示制御手段は、前記判定手段により前記立体視用眼鏡を装着したユーザが、前記リモートコントローラを操作していると判定された場合に、前記立体視映像出力手段からの左目用映像及び右目用映像を前記映像表示画面に表示させることを特徴とする請求項１に記載の立体視映像表示装置。
【請求項３】
前記判定手段は、前記立体視用眼鏡又は前記リモートコントローラの何れかに関連付けられ、
前記表示制御手段は、更に前記判定手段から通知される指示情報に応じて、前記平面視映像出力手段及び前記立体視映像出力手段からの映像出力を切り換えることを特徴とする請求項２に記載の立体視映像表示装置。
【請求項４】
前記平面視映像出力手段及び前記立体視映像出力手段は、更にＯＳＤ信号を出力することを特徴とする請求項１〜３の何れか一項に記載の立体視映像表示装置。
【請求項５】
立体視映像表示装置とともに用いられる立体視用眼鏡であって、
自己の装置をユーザが装着した時に、当該ユーザと接触する位置に設けられた人体通信用の電極と、
前記電極に接触したユーザの体を通じて、前記立体視映像表示装置を遠隔操作するリモートコントローラとの間で通信を行う人体通信手段と、
前記人体通信手段の通信状態に基づいて、自己の装置を装着したユーザが、前記リモートコントローラを操作しているか否かを判定する判定手段と、
前記判定手段での判定に基づいて、二次元の平面視映像又は三次元の立体視映像の何れかの出力を前記立体視映像表示装置に指示する表示形態指示手段と、
を備えたことを特徴とする立体視用眼鏡。
【請求項６】
前記電極は、テンプル部又はパット部の何れかに設けられていることを特徴とする請求項５に記載の立体視用眼鏡。
【請求項７】
立体視映像表示装置と、立体視用眼鏡と、前記立体視映像表示装置の遠隔操作を行うリモートコントローラと、を備えた立体視映像表示システムであって、
前記立体視映像表示装置は、
二次元の平面視映像を出力する平面視映像出力手段と、
左眼用映像と右眼用映像とを出力する立体視映像出力手段と、
前記立体視用眼鏡の左眼部分に前記左眼用映像を提示させるとともに、当該立体視用眼鏡の右眼部分に前記右眼用映像を提示させる眼鏡用制御手段と、
前記立体視用眼鏡又は前記リモートコントローラの何れかより通知される表示形態指示情報に応じて、前記平面視映像出力手段及び立体視映像出力手段からの映像出力を切り換える切換手段と、
を備え、
前記立体視用眼鏡及び前記リモートコントローラの各々が、
自己の装置をユーザが接触した時に、当該ユーザと接触する位置に設けられた人体通信用の電極と、
前記電極に接触したユーザの体を通じて通信を行う人体通信手段と、
を備え、
前記立体視用眼鏡及び前記リモートコントローラの少なくとも一つが、
前記人体通信手段の通信状態に基づいて、前記立体視用眼鏡を装着したユーザが前記リモートコントローラを操作しているか否かを判定する判定手段と、
前記表示形態指示情報を前記立体視映像表示装置に送信する送信手段と、
を備えたことを特徴とする立体視映像表示システム。
【手続補正２】
【補正対象書類名】明細書
【補正対象項目名】０００６
【補正方法】変更
【補正の内容】
【０００６】
実施の形態の立体視映像表示装置は、平面視映像出力手段と、立体視映像出力手段と、眼鏡用制御手段と、表示制御手段とを備えている。平面視映像出力手段は、二次元の平面視映像を出力する。立体視映像出力手段は、左目用映像と右目用映像とを出力する。眼鏡用制御手段は、立体視用眼鏡の左眼部分に前記左目用映像を提示させるとともに、当該立体視用眼鏡の右眼部分に前記右眼用映像を提示させる。表示制御手段は、立体視用眼鏡を装着したユーザが、リモートコントローラを操作しているか否かに応じて、平面視映像出力手段からの平面視映像と、立体視映像出力手段からの左目用映像及び右目用映像とのうち、何れか一方を映像表示画面に表示させる。さらに、表示制御手段は、立体視用眼鏡を装着したユーザが、リモートコントローラを操作している場合に、立体視映像出力手段からの左目用映像及び右目用映像を映像表示画面に表示させる。
【手続補正３】
【補正対象書類名】明細書
【補正対象項目名】００６１
【補正方法】変更
【補正の内容】
【００６１】
また、制御部４４は、立体視用眼鏡３０の人体通信部３３との通信が確立できない状態で、キー操作の入力を受け付けると、立体視用眼鏡３０を未装着のユーザがリモートコントローラ４０を操作していると判定する。この場合、制御部４４は、そのキー操作に応じた操作情報とともに、平面視（二次元）表示用の映像信号でＯＳＤを表示することを指示した指示情報（以下、平面視指示情報という）を、送信部４２から送信する。なお、立体視指示情報と平面視指示情報とを総称して、表示形態指示情報ともいう。